【手続補正書】
【提出日】平成20年7月2日(2008.7.2)
【手続補正１】
【補正対象書類名】明細書
【補正対象項目名】特許請求の範囲
【補正方法】変更
【補正の内容】
【特許請求の範囲】
【請求項１】  金融手段を使用するために顧客の認可を確認するコンピュータインプリメントされる方法であって、
顧客により識別された金融手段を用いて一つ以上の取引を開始するステップであって、該一つ以上の取引は取引プロセッサに接続された一つ以上の金融システムを介して該取引プロセッサによって開始される、ステップと、
該一つ以上の取引の一つ以上の属性を格納するステップと、
該顧客と通信を交換するように構成されたユーザインターフェイスを介して一組の提供された属性を受けるステップと、
該提供された属性と該格納された属性とを比較するステップと、
該提供された属性が該格納された属性と一致する場合、引き続く取引のために該顧客による該金融手段の使用を認めるステップと
を包含する、方法。
【請求項２】  前記開始するステップの後に、前記顧客から前記提供された属性を求めるステップをさらに包含する、請求項１に記載の方法。
【請求項３】  前記開始するステップは、
第１の組の属性で前記金融手段を含む第１の取引を開始するステップと、
該第１の組の属性とは異なる第２の組の属性で該金融手段を含む第２の取引を開始するステップと
を包含する、請求項１に記載の方法。
【請求項４】  前記一つ以上の取引の前記一つ以上の属性は、可変の属性である、請求項１に記載の方法。
【請求項５】  前記属性を格納するステップは、前記一つ以上の取引における第１の取引の価値、該一つ以上の取引における第１の取引のマーチャントＩＤ、該一つ以上の取引の数、該一つ以上の取引の一つのタイプのうちの一つ以上を格納するステップを包含する、請求項１に記載の方法。
【請求項６】  前記認めるステップは、
前記引き続く取引を受けるステップであって、該引き続く取引は宛先を識別する、ステップと、
前記金融手段に関連するエンティティから該宛先に資金を送るステップと
を包含する、請求項１に記載の方法。
【請求項７】  前記認めるステップは、
前記引き続く取引を受けるステップであって、該引き続く取引はソースを識別するステップと、
該ソースから前記金融手段に関連するエンティティに資金を送るステップと
を包含する、請求項１に記載の方法。
【請求項８】  前記開始することは、前記取引を電子的に開始するために前記取引プロセッサを動作することを包含する、請求項１に記載の方法。
【請求項９】  前記受けることは、前記提供される属性を電子的に受けることを包含する、請求項８に記載の方法。
【請求項１０】  前記金融手段は、クレジットカード、デビットカード、銀行預金口座、仲買口座および金融市場口座のうちの一つ以上を含む、請求項１に記載の方法。
【請求項１１】  前記金融手段は、電子的に交換された価値のソースまたは宛先のいずれかとして用いられるエンティティである、請求項１に記載の方法。
【請求項１２】  金融口座を使用するためにユーザの認可を確認するコンピュータインプリメントされる方法であって、
ユーザから金融口座を識別する情報を受けるステップと、
該金融口座を含む一連の取引を開始するステップと、
詳細の第１のセットを該ユーザに通知することなしに、該一連の取引の該詳細の第１のセットを格納するステップと、
該金融口座の該ユーザの制御の証拠として、該ユーザから詳細のテストセットを受けるステップと、
該詳細の第１のセットが該詳細のテストセットに対応する場合、該金融口座を用いて一つ以上の引き続く取引を、該ユーザが実行することを認可するステップと
を包含する、方法。
【請求項１３】  前記金融口座は、クレジットカード口座、デビットカード口座、当座預金口座および普通預金口座のうちの１つ以上を含む、請求項１２に記載の方法。
【請求項１４】  前記金融口座は、銀行預金口座、仲買口座および金融市場口座のうちの１つ以上を含む、請求項１２に記載の方法。
【請求項１５】  前記詳細の第１のセットは、第１の取引のマーチャントＩＤを含む、請求項１２に記載の方法。
【請求項１６】  前記詳細の第１のセットは、前記一連の取引に関連する価値を含む、請求項１２に記載の方法。
【請求項１７】  前記詳細の第１のセットは、第１の取引のタイプを含む、請求項１２に記載の方法。
【請求項１８】  前記詳細の第１のセットは、前記取引の数を含む、請求項１２に記載の方法。
【請求項１９】  前記詳細の第１のセットは、前記金融口座以外の前記取引に含まれる口座のＩＤを含む、請求項１２に記載の方法。
【請求項２０】  クレジットカードを確認するコンピュータインプリメントされる方法であって、
ユーザによって資金源として使われるクレジットカードを識別する口座番号および名前をユーザから受けるステップと、
該クレジットカードを含む一つ以上の取引を開始するステップであって、該一つ以上の取引は該クレジットカードに関連し、かつ取引プロセッサに接続される一つ以上の金融システムを介して該取引プロセッサによって開始される、ステップと、
該一つ以上の取引から詳細の第１のセットを、データベース内に格納するステップと、
詳細の第２のセットを該ユーザから受けるステップと、
該詳細の第２のセットが該詳細の第１のセットと一致する場合、該ユーザが資金源として該クレジットカードを使用することを認可するステップと
を包含する、方法。
【請求項２１】  前記詳細の第２のセットは、前記一つ以上の取引のうちの一つに含まれるマーチャントＩＤを含む、請求項２０に記載の方法。
【請求項２２】  銀行預金口座を確認するコンピュータインプリメントされる方法であって、
ユーザによって資金源として用いられる銀行預金口座を識別する口座番号およびルーティング番号をユーザから受けるステップと、
該銀行預金口座を含む一つ以上の取引を開始するステップであって、該一つ以上の取引は該銀行預金口座に関連し、かつ取引プロセッサに接続される一つ以上の金融システムを介して該取引プロセッサによって開始される、ステップと、
該一つ以上の取引から詳細の第１のセットを格納するステップと、
詳細の第２のセットを提供するように該ユーザに要求するステップであって、該詳細の第２のセットは、該詳細の第１のセットに関連し、かつ該銀行預金口座と関連するエンティティによって該ユーザに提供される、ステップと、
該詳細の第２のセットが該詳細の第１のセットと一致する場合、資金源として該銀行預金口座を使用することを該ユーザに認可するステップと
を包含する、方法。
【請求項２３】  前記詳細の第２のセットは、前記一つ以上の取引のうちの一つの金額を含む、請求項２２に記載の方法。
【請求項２４】  コンピュータにより実行される場合、該コンピュータシステムに金融手段を使用するために顧客の認可を確認する方法を実行させる命令を格納するコンピュータ読み出し可能格納媒体であって、該方法は、
顧客により識別された金融手段を用いて一つ以上の取引を開始するステップであって、該一つ以上の取引は取引プロセッサに接続された一つ以上の金融システムを介して該取引プロセッサによって開始される、ステップと、
該一つ以上の取引の一つ以上の属性を格納するステップと、
一組の提供された属性を、該顧客と通信を交換するように構成されたユーザインターフェイスを介して受けるステップと、
該提供された属性と該格納された属性とを比較するステップと、
該提供された属性が該格納された属性と一致する場合、引き続く取引のために、該顧客による該金融手段の使用を認めるステップと
を包含する、コンピュータ読み出し可能格納媒体。
【請求項２５】  外部の金融口座を使用するためにユーザの認可を確認するシステムであって、
ユーザにより識別された外部の金融口座を含む一つ以上の取引を開始するように構成された取引プロセッサと、
該取引の詳細の第１のセットを格納するように構成されたメモリと、
該外部の金融口座を含む任意の取引と無関係の詳細のテストセットを受けるように構成されたユーザインターフェイスと、
該取引が完了する後に、該詳細の第１のセットと該詳細のテストセットとを比較するように構成されたプロセッサと
を備える、システム。
【請求項２６】  前記取引プロセッサは、前記詳細のテストセットが前記詳細の第１のセットのうちの所定のサブセットと一致する場合、前記ユーザが前記外部の金融口座を使用することを認可するようにさらに構成される、請求項２５に記載のシステム。
【請求項２７】  前記取引プロセッサは、ＡＣＨ（自動手形交換所）取引ハンドラに接続される、請求項２５に記載のシステム。
【請求項２８】  前記取引プロセッサは、クレジットカードサービスプロバイダに接続される、請求項２５に記載のシステム。
【請求項２９】  前記クレジットカードサービスプロバイダは、マーチャントアクワイアラまたはクレジットカードゲートウェイプロバイダである、請求項２８に記載のシステム。
【請求項３０】  前記ユーザインターフェイスを動作させるため、かつ前記取引プロセッサによる取引の開始前に前記一つ以上の取引を構築するために、コンピュータサーバをさらに備える、請求項２５に記載のシステム。
【請求項３１】  金融手段を使用するために顧客の認可を確認する装置であって、
顧客から金融手段を識別する情報を受ける手段と、
該金融手段を含む一つ以上の取引を開始する取引手段と、
該一つ以上の取引の選択された詳細を格納する格納手段であって、該選択された詳細は該顧客に明かされない、手段と、
該金融手段を含む任意の取引と無関係の詳細の確認セットを受けるインターフェイス手段と、
該詳細の確認セットと該選択された詳細とを比較する比較手段と
を備え、
該詳細の確認セットが該選択された詳細に対応する場合、該顧客は該金融手段を使用する該認可を有すると考えられる、装置。
【請求項３２】  前記インターフェイス手段は、前記詳細の確認セットを提供するように前記顧客を促進するために促進手段を備える、請求項３１に記載の装置。